(57)【要約】【課題】  ユーザの指がタッチパネルに接近したとき、リスト表示に含まれる項目内に入力ボタンを表示する「表示制御装置」を提供する。【解決手段】  表示制御装置は、ユーザの指がディスプレイに接近すると、それを検知し、リスト表示内の選択された項目Ｊ４内に入力を促すような入力ボタンＪ５、Ｊ６、Ｊ７を表示する。これにより、限られた表示スペースを有効に活用し、できるだけ多くの情報をユーザに提供しつつ、次の入力指示を促すことができる。【選択図】  図５
2008047027.tif 000002
【特許請求の範囲】
【請求項１】
ディスプレイと、
情報を記憶する記憶手段と、
記憶手段から読み出された情報に基づき複数の項目をディスプレイに表示する第１の表示手段と、
ディスプレイに物体が接近したことを検出する検出手段と、
検出手段によりディスプレイへの物体の接近が検出されたとき、少なくとも１つの項目内に入力を促す少なくとも１つの入力ボタンを表示する第２の表示手段と、
を有する表示制御装置。
【請求項２】
前記検出手段は、物体が接近した２次元位置を検出し、第２の表示手段は、前記２次元位置に基づき選択された項目内に入力ボタンを表示する、請求項１に記載の表示制御装置。
【請求項３】
第１の表示手段は、複数の項目をリスト表示する、請求項１または２に記載の表示制御装置。
【請求項４】
第２の表示手段は、項目内に入力ボタンを表示したとき、当該項目内の情報をスクロールするためのスクロールキーを表示する、請求項１ないし３いずれか１つに記載の表示制御装置。
【請求項５】
第２の表示手段は、一定時間内に前記入力ボタンに対する入力操作が行われなかった場合、前記項目から入力ボタンの表示を消去する、請求項１ないし４いずれか１つに記載の表示制御装置。
【請求項６】
表示制御装置はさらに、ディスプレイへの接触により入力を検出する入力検出手段を含み、前記入力ボタンへの接触があったとき、当該入力ボタンへの入力が検出される、請求項１ないし５いずれか１つに記載の表示制御装置。
【発明の詳細な説明】
【技術分野】
【０００１】
本発明は、複数の項目をリスト表示する表示制御装置に関し、特に、タッチパネル等により入力可能な入力ボタンを併せて表示する技術に関する。
【背景技術】
【０００２】
タッチパネルは、液晶やＣＲＴスクリーン上に取り付けられており、タッチスクリーンとも呼ばれ、ＰＤＡ、銀行のＡＴＭ、駅の券売機、ナビゲーション装置、ＡＶ機器などの電子機器への入力手段として広く利用されている。タッチパネルは、指や専用のペンにより画面が接触されると、その接触された位置を検知し、これにより入力操作の有無が判別できるようになっている。
【０００３】
タッチパネルは、ディスプレイの下に配置して圧力の変化を検出するタイプと、専用の透明なスクリーンで画面を覆うタイプがある。また画面への接触の検知方法には、感圧式や静電式がある。前者は圧力の変化を感知し、後者は静電気による電気信号を感知している。しかしながら、ディスプレイ等は、表示画面の大きさが限られており、１つの表示画面がユーザに提供できる情報量が限られている。
【０００４】
特許文献１は、表示画面に配置したタッチパネルを介してユーザ操作を受け付ける場合に、タッチパネルへの指の接近によりメニューを表示するものである。タッチパネルの表面にセンサが配置されており、ユーザの指の接近を検知できるようになっている。これにより、ユーザに種々の情報を確実に提供することができる。
【０００５】
【特許文献１】特開２００２−３５８１６２
【発明の開示】
【発明が解決しようとする課題】
【０００６】
車載用ナビゲーション装置やオーディオ装置等において、大容量のハードディスクやＤＶＤ等の記憶媒体が利用されることに伴い、取り扱われる情報量が格段に増加する傾向にある。情報量の増加は、ユーザにとって利便性を与える反面、そのような情報から所望の情報を迅速に、かつ効率良く抽出しなければならない。例えば、格納されたオーディオデータから所望の楽曲を検索したり、住所データベースから所望の施設を検索する場合、ディスプレイには、複数の項目を含むリストが表示され、そこから階層的な絞込みが行われるのが一般的である。ディスプレイのサイズにより表示できる文字数に制限はあるが、できるたけ多くの情報をユーザに提示することが望ましい。そこで、特許文献１のように、通常、メニュー画面等を表示せず、画面全体を情報の表示に利用できるようにし、タッチパネルに指が接近したときのみ、メニュー画面を表示している。
【０００７】
しかしながら、ディスプレイ上に表示されるメニュー画面の位置や大きさに制約がないと、メニュー画面によって大事な情報が隠されてしまう場合があり、必ずしも、ユーザに対し最大限の情報を提示しているとは言い難いという課題があった。
【０００８】
本発明は、上記従来の課題を解決するために成されたものであり、ユーザの指がディスプレイに接近すると、リストの項目内に入力ボタンを表示する表示制御装置を提供することを目的とする。
【課題を解決するための手段】
【０００９】
本発明に係る表示制御装置は、ディスプレイと、情報を記憶する記憶手段と、記憶手段から読み出された情報に基づき複数の項目をディスプレイに表示する第１の表示手段と、ディスプレイに物体が接近したことを検出する検出手段と、検出手段によりディスプレイへの物体の接近が検出されたとき、少なくとも１つの項目内に入力を促す少なくとも１つの入力ボタンを表示する第２の表示手段とを有する。
【００１０】
項目は、情報を表示し得る領域であって、その表示形態や種類は問われず、限定的に解されるものではない。また入力ボタンは、ユーザに入力を促す表示、または入力を案内する表示であって、広く解されるものである。例えば、メニュー表示、入力キー、操作キー、選択ボタン等を含む。
【００１１】
好ましくは、前記検出手段は、物体が接近した２次元位置を検出し、第２の表示手段は、前記２次元位置に基づき選択された項目内に入力ボタンを表示する。例えば、物体の接近した位置に最も近い項目が選択される。また、第１の表示手段は、複数の項目をリスト表示するものであってもよい。
【００１２】
好ましくは、第２の表示手段は、項目内に入力ボタンを表示したとき、当該項目内の情報をスクロールするためのスクロールキーを表示する。第２の表示手段は、一定時間内に前記入力ボタンに対する入力操作が行われなかった場合、前記項目から入力ボタンの表示を消去する。
【００１３】
好ましくは、表示制御装置はさらに、ディスプレイへの接触により入力を検出する入力検出手段を含み、前記入力ボタンへの接触があったとき、当該入力ボタンへの入力が検出される。
【発明の効果】
【００１４】
本発明の表示制御装置によれば、ユーザの指等の物体がディスプレイに接近することで、項目内に入力ボタンを表示するようにしたので、ユーザに可能な限り最大限の情報を提示しつつ、必要なときに次の動作への入力案内を行うことができる。
【発明を実施するための最良の形態】
【００１５】
本発明の最良の実施の形態について図面を参照して詳細に説明する。
【実施例】
【００１６】
図１は、本実施例に係る表示制御装置の構成を示すブロック図である。本実施例の表示制御装置１０は、ディスプレイ２０、システム制御装置３０、およびオーディオ装置４０とを含んでいる。ディスプレイ２０は、液晶等の表示パネル２２上に、指などの接触により入力を可能とするタッチパネル２４が取り付けられている。タッチパネル２４は、例えば透明電極を備えたシート状のものを表示パネル２２上に積層することができる。さらにタッチパネル２４上には赤外線センサ２６が取り付けられており、タッチパネル２４への物体の接近を検知することができる。好ましくは、ディスプレイ２０は、表示パネル２２、タッチパネル２４および赤外線センサ２６を一体化した表示ユニットから構成される。
【００１７】
システム制御装置３０は、ディスプレイ２０を接続されるとともに、複数の電子機器を接続し、ディスプレイ２０と複数の電子機器との間のインターフェース的な役割を果たす。本実施例では、システム制御装置３０には、オーディオ装置４０が接続され、これに加えて他の電子機器５０が接続されている。他の電子機器５０は、例えば、ポータブルデバイスやナビゲーション装置等の機器である。複数の電子機器が接続されている場合、どの電子機器をソースに使用するかは、ユーザからの指示によって決定される。システム制御装置３０は、ユーザからの指示に応じて、選択された電子機器に対し、当該選択された電子機器を動作可能状態にするためのイネーブル信号を通信線Ｓ１を介して供給する。動作可能状態となった電子機器は、画像信号線４６を介して画像データをディスプレイ２０に供給し、そこに所望の画像を表示させることができる。
【００１８】
システム制御装置３０は、タッチパネル２４への入力を検出する検出部３２と、メインマイクロコンピュータ（以下、メインマイコン）３６と、メモリ３８とを含んでいる。検出部３２は、タッチパネル２４への入力があったとき、当該入力が行われた位置データを出力する。赤外線センサ２６は、ディスプレイ２０への物体の接近を検出し、その検出結果をメインマイコン３６へ出力する。メモリ３８は、タッチパネル２４への入力操作が有効か否かを判定するための入力操作判定用データ等を格納し、この入力操作判定用データは、ディスプレイ２０への表示に応答してオーディオ装置４０または他の電子機器５０から供給される。メインマイコン３６は、検出部３２からの位置データを受け取り、位置データとメモリ３８から読み出された入力判定用データとを比較して入力操作が有効か無効かを判定する。また、メインマイコン３６は、赤外線センサ２６の出力に基づき、タッチパネル２４への物体の接近があるか否かを判定するとともに、接近した物体の２次元位置を判定する。さらにメインマイコン３６は、オーディオ装置４０および他の電子機器５０との間で制御信号等のデータ通信を制御する。
【００１９】
オーディオ装置４０は、システム制御装置３０との間で通信等を行うメインマイコン４２、オーディオ装置４０の各種設定および再生動作等を制御するオーディオ用マイコン４４を有する。楽曲データやユーザインターフェース用の画像データ等は、ハードディスク等の大容量記憶媒体４８に格納される。楽曲データは、通信手段を用いて外部サーバからダウンロードしたものを記憶媒体４８に記憶するものであってもよい。オーディオ用マイコン４４は、ユーザにより選択された楽曲を再生したり、接続されているスピーカー６０等を制御する。また、ユーザインターフェースのために、画像信号線４６を介して画像信号をディスプレイ２０に供給する。
【００２０】
図２は、タッチパネル２４に取り付けられた赤外線センサ２６の配置を示す正面から見た平面図である。赤外線センサ２６は、対になった発光素子２６ａと受光素子２６ｂを複数対用いて構成され、各対がタッチパネル２４上において２次元的に対向するように配置されている。発光素子２６ａより出射された赤外光２６ｃは、対応する受光素子２６ｂにより受光される。これにより、赤外光２６ｃがタッチパネル２４上でアレイ状になるような走査網を形成する。
【００２１】
タッチパネル２４に物体が接近したとき、赤外光２６ｃは遮断され、メインマイコン３６は、赤外線センサ２６の出力に基づき、物体の接近を検出する。さらにメインマイコン３６は、物体により遮断された赤外光２６ｃの位置に基づき、物体が接近した２次元位置を検出することができる。本実施例では赤外線センサ２６を用いたが、タッチパネル２４への接近を検出するようなセンサであれば、超音波センサ等の他の接近検出センサであってもよい。
【００２２】
次に、本実施例に係る表示制御装置１０の表示動作について図３のフローチャートを参照して説明する。以下、ディスプレイの表示を参照しながらスピーカーの設定を行う例を説明する。車内には、前部中央、前部右側、前部左側、後部右側等に複数のスピーカー６０が設置されている。初めに、ユーザは、タッチパネル２４または他の図示しない入力装置からスピーカーの設定を行う旨の指示を与える。この指示は、システム制御装置３０を介してオーディオ装置４０に伝えられる。オーディオ用マイコン４４は、記憶媒体４８よりスピーカー設定を行うための画像データを読み込み、画像信号線４６を介してディスプレイ２０に図４に示すようなリストを表示する（ステップＳ１０１）。
【００２３】
図４に示すように前部中央、前部右側、前部左側、後部右側の項目Ｊ１〜Ｊ４を含むリストが表示される。各項目Ｊ１〜Ｊ４は、表示できる文字数に制限があるが、各項目Ｊ１〜Ｊ４の中からユーザが操作したい項目を容易に選択できるようにするため、ディスプレイ２０の幅全体を項目表示領域として使用し、可能な限りの情報をユーザに提示するようにしている。各項目Ｊ１〜Ｊ４には、例えばスピーカーの設置位置、スピーカーの電源状態、およびスピーカーの出力音圧レベルが表示されている。
【００２４】
次に、ユーザがディスプレイ２０に指を接近させると、メインマイコン３６は、ユーザの指がディスプレイ２０に接近したか否かを判定する（ステップＳ１０２）。指がディスプレイ２０に接近していないと判定された場合、メインマイコン３６は、図４に示すリスト表示を維持し（ステップＳ１０３）、入力ボタンの表示は行わない。
【００２５】
メインマイコン３６は、指がディスプレイ２０に接近したと判定した場合、指が接近した位置を検出する。メインマイコン３６は、リスト内のどの項目に対してユーザが次の操作を行おうとしているのかを予測し、指が接近する位置に最も近い項目を特定する（ステップＳ１０４）。
【００２６】
例えば、指が「後部右側スピーカー」を示す項目Ｊ４に向けて接近された場合には、項目Ｊ４が特定される。メインマイコン３６は、通信線Ｓ１、Ｓ２を介し、オーディオ装置４０のオーディオ用マイコン４４に項目Ｊ４内に入力を案内するための入力ボタンを表示するように伝える。
【００２７】
オーディオ用マイコン４４は、メインマイコン３６の指示に基づき、記憶媒体４８よりスピーカー設定を行うための入力ボタンの画像データを読み込み、これを画像信号線４６を介してディスプレイ２０の項目Ｊ４内に表示する（ステップＳ１０５）。
【００２８】
図５（ａ）は、「後部右側スピーカー」を示す項目Ｊ４にユーザの指が接近したときの表示例である。ユーザが項目Ｊ４に指を近づけることにより、項目Ｊ４内に、次の動作を入力指示できるような入力ボタンＪ５〜Ｊ７が表示される。入力ボタンは、例えばスピーカーの電源をオンする入力ボタンＪ５、オフする入力ボタンＪ６、およびその他の設定を行うための設定ボタンＪ７を含んでいる。ユーザは、これら入力ボタンＪ５〜Ｊ７にタッチすることで、後部右側スピーカー６０の電源状態をオンまたはオフしたり、出力音圧レベルの変更を行うことができる。
【００２９】
次に、ユーザは、ディスプレイに表示された入力ボタンを操作し、入力を指示する。メインマイコン３６は、検出部３２の出力に基づき、ユーザが入力ボタンへの入力操作を行ったか否かを判定する（ステップＳ１０６）。一定の時間内に入力ボタンへの入力操作が行われなかった場合、メインマイコン４４は、入力ボタンを消去する（ステップＳ１０７）。
【００３０】
次に、メインマイコン３６は、入力操作の対象となった入力ボタンを識別する。例えば、項目Ｊ４内の電源をオフするため入力ボタンＪ６への入力操作が行われた場合、メインマイコン３６は、検出部３２から受け取った位置データとメモリ３８から読み出された入力判定用データを比較し、ユーザの入力操作の判定を行う（ステップＳ１０８）。
【００３１】
図５（ａ）に示すスピーカー設定画面への入力操作を判定するための入力判定用データを図５（ｂ）に示す。入力判定用データＲ１〜Ｒ４は、各項目Ｊ１〜Ｊ４にそれぞれ対応し、入力判定用データＲ５〜Ｒ７は、入力ボタンＪ５〜Ｊ７にそれぞれ対応する。入力操作が入力操作判定用データＲ５〜Ｒ７に含まれていれば、当該入力操作は有効と判定され、いずれの入力判定用データＲ５〜Ｒ７に含まれていなければ、当該入力操作は無効と判定される。
【００３２】
次に、メインマイコン３６は、通信線Ｓ１、Ｓ２を介し、オーディオ用マイコン４４に対し、入力操作が行われた入力ボタンを伝える。オーディオ用マイコン４４は、入力ボタンに応じた処理を実行する（ステップＳ１０９）。例えば、上記したように後部右側に設置されているスピーカーの電源をオフにする入力であれば、その入力に従いスピーカーをオフにする。
【００３３】
このように、ディスプレイにリストを表示し、そこから次の入力操作を行うような場合、指が接近したときに初めて入力ボタンをディスプレイに表示させるようにしたので、ユーザの入力操作前には、リスト内の各項目に関する情報を可能な限りユーザに提示させることができる。また、項目表示領域内に入力ボタンを表示するので、他の項目が入力ボタンによって隠されることがない。そして、表示された入力ボタンを操作することで、ユーザは、項目の選択とその項目に関する操作を一度に決定することができる。
【００３４】
上記実施例では、車載用オーディオ装置におけるスピーカー設定画面について説明したが、図６（ａ）に示すように、記憶媒体４８に格納されたオーディオデータから再生する楽曲を検索するような場合に、複数のアルバム名（あるいはアーティスト名や曲名）を含むリストが表示され、指が接近したとき、選択された項目内に複数の入力ボタンを表示する。また図６（ｂ）に示すように、ナビゲーション装置において目的地を設定する場合に、複数の施設を含むリストが表示されるが、このような画面においても指が接近したとき、選択された項目内に複数の入力ボタンを表示させることができる。これ以外にも、図７（ａ）に示すように装置のセットアップ画面において、複数の項目がリスト表示され、例えば、消費電力を節約の項目内に「ＯＮ」、「ＯＦＦ」、「ＮＥＸＴ」の入力ボタンが表示される。図７（ｂ）に示すように電話番号の発信履歴リストであれば、「ＣＡＬＬ」、「削除」、「編集」の入力ボタンが表示され、または地上波デジタル放送を利用したテレビの番組リストであれば、同様に「詳細」、「視聴」、「予約」の入力ボタンが表示される。また、入力ボタンの種類は、リスト表示の内容等に応じて適宜選択される。
【００３５】
上記実施例では、接近した指の位置情報に基づき、当該位置に最も近い項目を選択し、当該項目内（項目表示領域内）に入力ボタンを表示するようにしたが、これに限らず、ディスプレイに指が接近したときに、複数の項目内に入力ボタンを表示したり、あるいはリスト表示内のすべての項目内に入力ボタンを表示するようにしてもよい。
【００３６】
また、図８（ａ）に示すように、リスト表示に項目Ｊ１〜Ｊ４の他にも多数の項目があることを示すマークＭが表示されている場合、図８（ｂ）に示すようにユーザの指がマークＭ近傍に接近すると、項目Ｊ１〜Ｊ４の表示が縮小され、スクロールボタンＪ１０が表示されるようにしてもよい。ユーザは、スクロールボタンＪ１０を入力操作することにより、リスト内の項目をスクロールさせ、表示されていない他の項目を表示する。
【００３７】
また、リスト表示内の項目に複数の入力ボタンが表示されたとき、項目内の文字等の表示が入力ボタンによって隠されてしまうことがある。このような場合には、項目内の文字等をこの項目表示領域内（入力ボタンの表示領域を除いた領域内）で自動的にスクロール表示したり、図９（ａ）に示すように、項目内の文字表示を水平方向にスクロールさせるようなスクロールボタンＪ１０を併せて表示するようにしてもよい。
【００３８】
上記実施例では、ユーザが指を近づけると、リスト表示内の項目内に入力ボタンを表示したが、必ずしもリスト表示だけに限定されるものではない。例えば、図９（ｂ）に示すように、ディスプレイにメニュー表示Ｊ１〜Ｊ４がある場合、ユーザが指を近づけた位置に対応するメニュー表示Ｊ１内の表示領域に入力ボタンＪ５〜Ｊ８を表示するものであってもよい。
【００３９】
このように本実施例によれば、ディスプレイの表示領域を有効に活用しつつ、ユーザの指がタッチパネルに接近することで、ユーザが次に操作するであろう入力ボタンを適宜表示させ、ユーザの利便性を図っている。これにより、ユーザの項目選択の意志決定前に多くの情報を提示することができる。
【００４０】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００４１】
本発明に係る表示制御装置は、ナビゲーション装置、ＡＶ機器、ＡＴＭなど、ユーザからの入力に応じて処理を実行する電子機器において広く利用することができる。
【図面の簡単な説明】
【００４２】
【図１】本発明の実施例に係る表示制御装置の構成を示すブロック図である。
【図２】赤外線センサの配置を示す正面から見た平面図である。
【図３】本発明に係る表示制御装置における表示動作を説明するフローチャートである。
【図４】スピーカー設定の表示例を示す図である。
【図５】図５（ａ）は、後部右側スピーカー設定の表示例を示す図である。図５（ｂ）は、図５（ａ）の入力操作判定用の座標位置データを説明する図である。
【図６】図６（ａ）は、オーディオ装置による再生リストの表示例を示す図である。図６（ｂ）は、ナビゲーション装置による目的地設定リストの表示例を示す図である。
【図７】図７（ａ）は、セットアップリストの表示例を示す図である。図７（ｂ）は、発信履歴リストの表示例を示す図である。
【図８】図８（ａ）は、再生リストの表示例を示す図である。図８（ｂ）は、リストをスクロールするスクロールボタンの表示例である。
【図９】図９（ａ）は、項目内の文字表示をスクロールするスクロールボタンＪ１０の表示例である。図９（ｂ）は、メニュー表示の表示例である。
【符号の説明】
【００４３】
１０：表示制御装置                    ２０：ディスプレイ
２２：表示パネル                      ２４：タッチパネル
２６：赤外線センサ                    ２６ａ：発光素子
２６ｂ：受光素子                      ２６ｃ：赤外光
３０：システム制御装置                ３２：検出部
３６：メインマイコン                  ３８：メモリ
４０：オーディオ装置                  ４２：メインマイコン
４４：オーディオ用マイコン            ４６：画像信号線
４８：記憶媒体                        ５０：他の電子機器
６０：スピーカー                      ６２：音声信号線
【図１】
2008047027.tif 000003
【図２】
2008047027.tif 000004
【図３】
2008047027.tif 000005
【図４】
2008047027.tif 000006
【図５】
2008047027.tif 000007
【図６】
2008047027.tif 000008
【図７】
2008047027.tif 000009
【図８】
2008047027.tif 000010
【図９】
2008047027.tif 000011